(57)【要約】【課題】簡易な構成で、施工が容易であり、かつ、気密性能及び水密性能が確保される断熱パネル、断熱パネルの敷設構造及びその施工方法を提供すること。【解決手段】断熱パネル５は、一端部において上部から側方に突出して形成され受け部５１２の上面５１２ａに載置される一端側上部構成部５１７と、一端部において一端側上部構成部５１７の下面から下方に延びる一端側下部側面５１８と、を有するパネル本体５１と、一端側下部側面５１８に沿って配置される第１弾性部材５２と、パネル本体５１の一端部の下面と第１弾性部材５２の下面とを接続する第１シート材５３と、を備える。【選択図】図６
2020002624.tif 000002
【特許請求の範囲】
【請求項１】
少なくとも一端部が受け部の上面に載置される断熱パネルであって、
一端部において上部から側方に突出して形成され前記受け部の上面に載置される一端側上部構成部と、一端部において前記一端側上部構成部の下面から下方に延びる一端側下部側面と、を有するパネル本体と、
前記一端側下部側面に沿って配置される第１弾性部材と、
前記パネル本体の一端部の下面と前記第１弾性部材とを接続する第１シート材と、を備える断熱パネル。
【請求項２】
前記パネル本体は、他端部において下部から側方に突出して形成される前記受け部としての他端側下部受け部を有し、
前記一端側上部構成部は、隣りの断熱パネルの前記他端側下部受け部の上面に載置される請求項１に記載の断熱パネル。
【請求項３】
前記断熱パネルの幅方向の端部の側面に沿って配置される第２弾性部材と、
前記断熱パネルの幅方向の端部の下面と前記第２弾性部材とを接続する第２シート材と、を備える請求項１又は２に記載の断熱パネル。
【請求項４】
受け部の上面に断熱パネルの一端部が載置される断熱パネルの敷設構造であって、
一端部において上部から側方に突出して形成され前記受け部の上面に載置される一端側上部構成部と、一端部において前記一端側上部構成部の下面から下方に延びる一端側下部側面と、を有するパネル本体と、
前記一端側下部側面に沿って配置される第１弾性部材と、
前記パネル本体の一端部の下面と前記第１弾性部材とを接続する第１シート材と、を備える断熱パネルの敷設構造。
【請求項５】
前記断熱パネルの敷設構造は、隣接して配置され互いが接続される断熱パネルを備え、
前記隣接する断熱パネルの接続部において、前記パネル本体は、他端部において下部から隣りの断熱パネル側に突出して形成される前記受け部としての他端側下部受け部を有し、
前記一端側上部構成部は、一端部において上部から隣りの断熱パネル側に突出して形成され、隣りの断熱パネルの前記他端側下部受け部の上面に載置される請求項４に記載の断熱パネルの敷設構造。
【請求項６】
前記断熱パネルは、前記断熱パネルの幅方向の側方に配置される側方部材の側面に沿って敷設されており、
前記断熱パネルの幅方向の端部の側面に沿って配置される第２弾性部材と、
前記断熱パネルの幅方向の端部の下面と前記第２弾性部材とを接続する第２シート材と、を備える請求項４又は５に記載の断熱パネルの敷設構造。
【請求項７】
請求項４〜６のいずれかに記載の断熱パネルの敷設構造の施工方法であって、
前記断熱パネルの前記一端側上部構成部を上方側から下方側に移動させて前記受け部の上面に載置することで、前記第１シート材を上方側に折り曲げて、前記受け部の側面と前記一端側下部側面との間に、前記第１弾性部材を圧接して配置する工程を含む断熱パネルの敷設構造の施工方法。
【請求項８】
前記断熱パネルの幅方向の側方に配置される側方部材の側面に沿って前記断熱パネルを敷設する施工方法であって、
前記断熱パネルの幅方向の端部の側面に沿って配置される第２弾性部材と、
前記断熱パネルの幅方向の端部の下面と前記第２弾性部材の下面とを接続する第２シート材と、を備え、
前記断熱パネルを上方側から下方側に移動させて前記側方部材の側面に配置することで、前記第２シート材を上方側に折り曲げて、前記側方部材の側面と前記断熱パネルの幅方向の端部の側面との間に、前記第２弾性部材を圧接して配置する工程を含む請求項７に記載の断熱パネルの敷設構造の施工方法。
【発明の詳細な説明】
【技術分野】
【０００１】
本発明は、断熱パネル、断熱パネルの敷設構造及びその施工方法に関する。
【背景技術】
【０００２】
従来、例えば、隣接する断熱パネルの接続部において、一方側の断熱パネルの端部の上面に他方側の断熱パネルの端部の下面が載置され、隣接する断熱パネルの間にシール材が配置される断熱パネルの敷設構造が知られている（例えば、特許文献１参照）。
【先行技術文献】
【特許文献】
【０００３】
【特許文献１】特開平７−２５２８９５号公報
【発明の概要】
【発明が解決しようとする課題】
【０００４】
断熱パネルの敷設構造においては、隣接する断熱パネルの間にシール材などを配置して、気密性能及び水密性能を向上させるように構成される。隣接する断熱パネルの間にシール材などを配置する場合には、施工時にシール材がずれて気密性能及び水密性能が悪化する可能性もあり、施工の容易性も求められることから、施工において改善の余地がある。
隣接する断熱パネルの接続部において、簡易な構成で、施工が容易であり、かつ、気密性能及び水密性能が確保される断熱パネルの敷設構造が求められている。
【０００５】
本発明は、簡易な構成で、施工が容易であり、かつ、気密性能及び水密性能が確保される断熱パネル、断熱パネルの敷設構造及びその施工方法を提供することを目的とする。
【課題を解決するための手段】
【０００６】
本発明は、少なくとも一端部が受け部（例えば、後述の棟側下部突出受け部５１２、転び止め３４）の上面に載置される断熱パネル（例えば、後述の断熱パネル５）であって、一端部において上部から側方に突出して形成され前記受け部の上面に載置される一端側上部構成部（例えば、後述の軒側上部突出部５１７）と、一端部において前記一端側上部構成部の下面から下方に延びる一端側下部側面（例えば、後述の軒側下部段差側面５１８）と、を有するパネル本体（例えば、後述のパネル本体５１）と、前記一端側下部側面に沿って配置される第１弾性部材（例えば、後述の第１弾性部材５２）と、前記パネル本体の一端部の下面と前記第１弾性部材とを接続する第１シート材（例えば、後述の第１シート材５３）と、を備える断熱パネルに関する。
【０００７】
また、前記パネル本体は、他端部において下部から側方に突出して形成される前記受け部としての他端側下部受け部を有し、前記一端側上部構成部は、隣りの断熱パネルの前記他端側下部受け部の上面に載置されることが好ましい。
【０００８】
また、前記断熱パネルの幅方向の端部の側面に沿って配置される第２弾性部材（例えば、後述の第２弾性部材５４）と、前記断熱パネルの幅方向の端部の下面と前記第２弾性部材とを接続する第２シート材（例えば、後述の第２シート材５５）と、を備えることが好ましい。
【０００９】
本発明は、受け部（例えば、後述の棟側下部突出受け部５１２、転び止め３４）の上面（例えば、後述の上面５１２ａ）に断熱パネル（例えば、後述の断熱パネル５）の一端部が載置される断熱パネル（例えば、後述の断熱パネル５）の敷設構造であって、一端部において上部から側方に突出して形成され前記受け部の上面に載置される一端側上部構成部（例えば、後述の軒側上部突出部５１７）と、一端部において前記一端側上部構成部の下面から下方に延びる一端側下部側面（例えば、後述の軒側下部段差側面５１８）と、を有するパネル本体（例えば、後述のパネル本体５１）と、前記一端側下部側面に沿って配置される第１弾性部材（例えば、後述の第１弾性部材５２）と、前記パネル本体の一端部の下面と前記第１弾性部材とを接続する第１シート材（例えば、後述の第１シート材５３）と、を備える断熱パネルの敷設構造に関する。
【００１０】
また、前記断熱パネルの敷設構造は、隣接して配置され互いが接続される断熱パネルを備え、前記隣接する断熱パネルの接続部（例えば、後述の接続部５０）において、前記パネル本体は、他端部において下部から隣りの断熱パネル側に突出して形成される前記受け部としての他端側下部受け部を有し、前記一端側上部構成部は、一端部において上部から隣りの断熱パネル側に突出して形成され、隣りの断熱パネルの前記他端側下部受け部の上面に載置されることが好ましい。
【００１１】
また、前記断熱パネルは、前記断熱パネルの幅方向の側方に配置される側方部材（例えば、後述の垂木４）の側面（例えば、後述の側面４ｂ）に沿って敷設されており、前記断熱パネルの幅方向の端部の側面に沿って配置される第２弾性部材（例えば、後述の第２弾性部材５４）と、前記断熱パネルの幅方向の端部の下面と前記第２弾性部材とを接続する第２シート材（例えば、後述の第２シート材５５）と、を備えることが好ましい。
【００１２】
また、本発明は、前記断熱パネルの敷設構造の施工方法であって、前記断熱パネルの前記一端側上部構成部を上方側から下方側に移動させて前記受け部の上面に載置することで、前記第１シート材を上方側に折り曲げて、前記受け部の側面と前記一端側下部側面との間に、前記第１弾性部材を圧接して配置する工程を含む断熱パネルの敷設構造の施工方法に関する。
【００１３】
また、前記断熱パネルの幅方向の側方に配置される側方部材の側面に沿って前記断熱パネルを敷設する施工方法であって、前記断熱パネルの幅方向の端部の側面に沿って配置される第２弾性部材と、前記断熱パネルの幅方向の端部の下面と前記第２弾性部材の下面とを接続する第２シート材と、を備え、前記断熱パネルを上方側から下方側に移動させて前記側方部材の側面に配置することで、前記第２シート材を上方側に折り曲げて、前記側方部材の側面と前記断熱パネルの幅方向の端部の側面との間に、前記第２弾性部材を圧接して配置する工程を含むことが好ましい。
【発明の効果】
【００１４】
本発明によれば、簡易な構成で、施工が容易であり、かつ、気密性能及び水密性能が確保される断熱パネル、断熱パネルの敷設構造及びその施工方法を提供することができる。
【図面の簡単な説明】
【００１５】
【図１】本発明の一実施形態に係る屋根構造体の縦断面図である。
【図２】本実施形態に係る屋根構造体の横断面図である。
【図３】隣接する断熱パネルの接続部を示す拡大断面図である。
【図４】断熱パネルの斜視図である。
【図５】断熱パネルの敷設構造の施工方法を説明する斜視図である。
【図６】隣接する断熱パネル同士を接続する場合の施工方法を説明する図であって、（ａ）は、接続前を示す図であり、（ｂ）は、接続後を示す図である。
【図７】垂木の隣りに断熱パネルを設置する場合の施工方法を説明する図であって、（ａ）は、設置前を示す図であり、（ｂ）は、設置後を示す図である。
【発明を実施するための形態】
【００１６】
以下、本発明の屋根構造体の一実施形態について、図面を参照しながら説明する。本実施形態においては、断熱パネル５の敷設構造を屋根構造体１に適用した例について説明する。図１は、本発明の一実施形態に係る屋根構造体１の縦断面図である。図２は、本実施形態に係る屋根構造体１の横断面図である。図３は、隣接する断熱パネル５の接続部５０を示す拡大断面図である。図４は、断熱パネル５の斜視図である。
【００１７】
屋根構造体１は、図１及び図２に示すように、複数の柱２１と、複数の小屋梁２２と、複数の小屋束２３と、軒桁３１と、棟木３２と、複数の母屋３３と、複数の垂木４（側方部材）（図２参照）と、複数の断熱パネル５と、複数の通気垂木２４（図２参照）と、下側野地板２５と、上側野地板２６と、を備える。
【００１８】
図１に示すように、複数の柱２１は、上下方向に延びて形成され、地面に対して立設されている。
複数の小屋梁２２は、略水平方向に延びて形成され、複数の柱２１の上部に掛け渡されている。
【００１９】
小屋梁２２の上部には、複数の小屋束２３が立設されている。複数の小屋束２３は、上下方向に延びて形成され、軒側と棟側との間に並んで配置される。複数の小屋束２３は、屋根構造体１の屋根１１の斜面の傾斜に合わせて、棟側から軒側に向かうに従って、上下方向の長さが徐々に短くなるように形成される。
【００２０】
軒桁３１は、略水平方向に延びて形成され、屋根１１の軒側の下端部に配置される。
棟木３２は、軒桁３１に略平行に水平に延びて形成され、屋根１１の棟側の上端部に配置される。
複数の母屋３３は、軒桁３１と棟木３２との間において軒桁３１及び棟木３２に略平行に延びて形成され、複数の小屋束２３の上端部に配置される。
【００２１】
複数の垂木４は、複数の母屋３３の上部に配置される。複数の垂木４は、それぞれ、屋根１１の傾斜方向に延びる長尺の部材である。図２に示すように、複数の垂木４は、屋根１１の傾斜方向に直交する方向に離間して配置され、略平行に延びる。垂木４は、断熱パネル５（後述）の幅方向の側方に配置される。
【００２２】
複数の断熱パネル５は、屋根１１の傾斜方向において屋根１１の傾斜方向並んで配置されると共に、屋根１１の傾斜方向の直交する方向において垂木４と垂木４との間に配置される。
【００２３】
断熱パネル５は、屋根１１の傾斜方向において、図１に示すように、軒桁３１、棟木３２及び母屋３３の上部に配置される。断熱パネル５は、屋根１１の傾斜方向に沿って複数設けられる。隣接する断熱パネル５は、接続部５０において互いが接続されて敷設される。断熱パネル５の敷設構造の詳細については後述する。
【００２４】
軒桁３１、棟木３２及び母屋３３の上端部の軒側には、傾斜面３１１，３２１，３３１が形成される。傾斜面３１１，３２１，３３１は、屋根１１の傾斜角度に沿う角度に傾斜するように、上り傾斜に傾斜されている。傾斜面３１１，３２１，３３１を予め斜めに切り欠いて形成することで、断熱パネル５を傾斜面３１１，３２１，３３１に沿うように配置できるため、断熱パネル５の施工作業が容易となる。
【００２５】
軒桁３１の上端部には、転び止め３４が固定される。転び止め３４は、例えば直方体形状に形成され、軒桁３１の傾斜面３１１に固定される。転び止め３４により、複数の断熱パネル５の軒側の端部が支持される。これにより、屋根１１の軒側の端部において断熱パネル５を支持できるため、断熱パネル５の施工作業が容易となる。
【００２６】
下側野地板２５は、図２に示すように、複数の断熱パネル５及び複数の垂木４の上に配置される。第１野地板１２１は、屋根１１の傾斜方向に延びる。下側野地板２５としては、構造用合板等の板材が用いられる。下側野地板２５は、所定の枚数を組み合わせて、屋根１１の全体を覆うように敷設されている。
【００２７】
複数の通気垂木２４は、下側野地板２５の上部に並べて配置される。複数の通気垂木２４は、それぞれ、屋根１１の傾斜方向に延びる。複数の通気垂木２４は、屋根１１の傾斜方向に直交する方向に離間して配置される。
【００２８】
上側野地板２６は、複数の通気垂木２４の上に配置される。上側野地板２６は、屋根１１の傾斜方向に延びる。上側野地板２６としては、構造用合板等の板材が用いられる。上側野地板２６は、所定の枚数を組み合わせて、屋根１１の全体を覆うように敷設されている。
【００２９】
以上のように構成される下側野地板２５、複数の通気垂木２４及び上側野地板２６は、下側野地板２５と上側野地板２６との間に複数の通気垂木２４を配置することにより、通気垂木２４の高さに相当する通気層２７が形成される。通気層２７は、通気口（図示せず）を通じて屋外空間と連通しており、常時、外気による換気がなされている。
【００３０】
断熱パネル５の敷設構造について説明する。
図１及び図３に示すように、複数の断熱パネル５は、屋根１１の傾斜方向において、隣接する断熱パネル５同士が接続部５０において接続されて並べられて配置されている。また、断熱パネル５は、屋根１１の傾斜方向の直交する方向において垂木４と垂木４との間に配置される。
【００３１】
断熱パネル５は、図４に示すように、パネル本体５１と、第１弾性部材５２と、第１シート材５３と、第２弾性部材５４と、第２シート材５５と、を有する。
【００３２】
パネル本体５１は、屋根１１の傾斜方向に直交する方向に幅を有すると共に、屋根１１の傾斜方向に延び、厚みを有して形成される。
パネル本体５１は、屋根１１の傾斜方向において、軒側の一端部に形成される軒側段部５１６（一端部側段部）と、棟側の他端部に形成される棟側段部５１１（他端部側段部）と、を有する。
また、パネル本体５１は、屋根１１の傾斜方向に直交する幅方向の両端部の側面が、上下方向及び屋根１１の傾斜方向に延びる平面状に形成される。
【００３３】
パネル本体５１は、高い断熱性を有するとともに、強度的に優れ、吸湿性が小さいものが望ましい。本実施形態においては、パネル本体５１は、例えば、独立気泡の発泡ポリウレタン板が用いられている。この発泡ポリウレタンは、水を通しにくい素材であり、長期使用に亘っても型くずれしにくいため、高い断熱性を長く保つことができる。
【００３４】
屋根１１の傾斜方向においては、隣接する一方側の断熱パネル５Ａと他方側の断熱パネル５Ｂの接続部５０において、図３に示すように、一方側の断熱パネル５Ａのパネル本体５１の棟側段部５１１と、他方側の断熱パネル５Ｂのパネル本体５１の軒側段部５１６とは、接続される。
【００３５】
軒側段部５１６は、図４に示すように、段差状に形成され、軒側上部突出部５１７（一端側上部構成部）と、軒側下部段差側面５１８（一端側下部側面）と、を有する。
【００３６】
軒側上部突出部５１７は、図３に示すように、軒側の一端部において上部から隣りの断熱パネル５側の側方に突出して形成される。軒側上部突出部５１７は、隣りの断熱パネル５の棟側下部突出受け部５１２（後述）の上面５１２ａに載置される。
【００３７】
軒側下部段差側面５１８は、軒側の一端部に配置される軒側段部５１６において、軒側上部突出部５１７よりも棟側（他端部側）に配置され、軒側上部突出部５１７の下面から下方に延びる。軒側下部段差側面５１８は、軒側上部突出部５１７の下面における棟側の端部から下方側に延びる面により構成される。
【００３８】
棟側段部５１１は、図４に示すように、段差状に形成され、棟側下部突出受け部５１２（他端側下部受け部）と、棟側上部段差側面５１３（他端側上部段差側面）と、を有する。
【００３９】
棟側下部突出受け部５１２は、図３に示すように、棟側の他端部において下部から隣りの断熱パネル５側の側方に突出して形成される。棟側下部突出受け部５１２の上面５１２ａには、隣りの断熱パネル５の軒側上部突出部５１７が載置される。
【００４０】
棟側上部段差側面５１３は、図４に示すように、他端部に配置される棟側段部５１１において、棟側下部突出受け部５１２よりも軒側（一端部側）に配置され、棟側下部突出受け部５１２の上面５１２ａから上方に延びる。棟側上部段差側面５１３は、棟側下部突出受け部５１２の上面５１２ａにおける軒側の端部から上方側に延びる面により構成される。
【００４１】
第１弾性部材５２は、図３及び図４に示すように、隣接する断熱パネル５の接続部５０に配置される断熱パネル５の軒側の端部において、軒側下部段差側面５１８に接着されていない状態で、軒側上部突出部５１７の下方に形成される軒側下部段差側面５１８に沿って屋根１１の傾斜方向に直交する方向に延びて配置される。第１弾性部材５２は、パネル本体５１の下面における屋根１１の傾斜方向に直交する方向の端部に第２シート材５５（後述）が貼り付けられた状態において、屋根１１の傾斜方向に直交する方向の両端部が、第２シート材５５の屋根１１の傾斜方向に直交する方向の外側の端部まで延びる。
第１弾性部材５２は、隣接する断熱パネル５の接続部５０において、隣接するパネル本体５１の間に圧接して配置される。本実施形態では、第１弾性部材５２として、例えば、ＥＰＤＭ（エチレン・プロピレン・ジエンゴム）などの発泡体を用いている。
【００４２】
第１シート材５３は、図３に示すように、隣接する断熱パネル５の接続部５０に配置される断熱パネル５の軒側の端部において、パネル本体５１の軒側の端部（一端部）の下面と第１弾性部材５２の下面とを接続する。第１シート材５３は、シート状に形成され、屋根１１の傾斜方向に幅を有して形成され、パネル本体５１の軒側の端部に沿って、屋根１１の傾斜方向に直交する方向に延びる。第１シート材５３は、パネル本体５１の下面における屋根１１の傾斜方向に直交する方向の端部に第２シート材５５（後述）が貼り付けられた状態において、屋根１１の傾斜方向に直交する方向の両端部が、第２シート材５５の屋根１１の傾斜方向に直交する方向の外側の端部まで延びる。第１シート材５３は、パネル本体５１の屋根１１の傾斜方向に直交する方向において、第２シート材５５の屋根１１の傾斜方向に直交する方向の外側の両端部の間に亘って貼り付けられている。
【００４３】
図４に示すように、屋根１１の傾斜方向において、第１シート材５３の幅は、軒側下部段差側面５１８から軒側に延出する長さが、第１弾性部材５２における軒側下部段差側面５１８から軒側の端部までの長さよりも長く形成される。第１シート材５３は、第１弾性部材５２よりも軒側（外側）に突出する幅を有して形成されている。
パネル本体５１の下面における屋根１１の傾斜方向に直交する方向の端部に第２シート材５５（後述）が貼り付けられた状態において、第１シート材５３の屋根１１の傾斜方向に直交する方向の外側の両端部の棟側の部分は、パネル本体５１の下面に貼り付けられた第２シート材５５の軒側の端部に重ねて貼り付けられている。
【００４４】
第１シート材５３は、パネル本体５１の下面の全面には貼り付けられておらず、パネル本体５１の軒側の端部の下面と第１弾性部材５２の下面とに跨って貼り付けられている。本実施形態では、第１シート材５３として、例えば、ポリエチレン等を材料としたシートを用いている。なお、第１シート材５３は、パネル本体５１の下面の全面には貼り付けられていてもよい。また、第１シート材５３は、防湿機能や防水機能を有していてもよいし、有していなくてもよい。
【００４５】
第２弾性部材５４は、図２及び図４に示すように、屋根１１の傾斜方向に直交する方向（複数の断熱パネル５が並ぶ方向に交差する方向）において、断熱パネル５のパネル本体５１の幅方向の端部の側面５１ａと垂木４の側面４ｂとの間に配置される。第２弾性部材５４は、断熱パネル５のパネル本体５１の端部の側面５１ａに接着されていない状態で、断熱パネル５の幅方向の端部の側面に沿って屋根１１の傾斜方向に延びて配置される。第２弾性部材５４は、断熱パネル５と垂木４との間に圧接して配置される。本実施形態では、第２弾性部材５４として、例えば、ＥＰＤＭ（エチレン・プロピレン・ジエンゴム）などの発泡体を用いている。
【００４６】
第２弾性部材５４の軒側の端部５４ａは、図４に示すように、パネル本体５１の軒側のコーナ部分において、屋根１１の傾斜方向に直交する方向の端部よりも内側の位置において、第１弾性部材５２の棟側の側面５２ａに対向した状態で、第１弾性部材５２の棟側の側面５２ａに当接して配置される。なお、第２弾性部材５４の軒側の端部５４ａは、第１弾性部材５２の棟側の側面５２ａに当接することに限られない。第２弾性部材５４の軒側の端部５４ａは、第１弾性部材５２の棟側の側面５２ａに接触せずに、第２弾性部材５４の軒側の端部５４ａと第１弾性部材５２の棟側の側面５２ａとの間に僅かな隙間が形成されていてもよい。
【００４７】
第２シート材５５は、図２に示すように、パネル本体５１における屋根１１の傾斜方向に直交する方向（パネル本体５１の幅方向）の端部において、パネル本体５１の幅方向の端部の下面と第２弾性部材５４の下面とを接続する。第２シート材５５は、シート状に形成され、屋根１１の傾斜方向に直交する方向に幅を有して形成され、パネル本体５１における屋根１１の傾斜方向に直交する方向の端部に沿って屋根１１の傾斜方向に延びる。第２シート材５５は、棟側の端部が、パネル本体５１の棟側下部突出受け部５１２の棟側の側面まで延び、軒側の端部が、パネル本体５１の軒側下部段差側面５１８まで延びる。第２シート材５５は、パネル本体５１の下面における棟側の端部と軒側の端部との間において、パネル本体５１の棟側下部突出受け部５１２の棟側の側面と軒側下部段差側面５１８とに亘って貼り付けられている。
【００４８】
図４に示すように、屋根１１の傾斜方向に直交する方向（パネル本体５１の幅方向）において、第２シート材５５の幅は、断熱パネル５のパネル本体５１の側面５１ａから外側に延出する長さが、第２弾性部材５４における断熱パネル５のパネル本体５１の側面５１ａから外側の端部までの長さよりも長く形成される。第２シート材５５は、第２弾性部材５４よりも屋根１１の傾斜方向に直交する方向の外側に突出する幅を有して形成されている。
【００４９】
第２シート材５５は、パネル本体５１の下面の全面には貼り付けられておらず、パネル本体５１における屋根１１の傾斜方向に直交する方向の端部の下面と第２弾性部材５４の下面とに跨って貼り付けられている。本実施形態では、第２シート材５５として、例えば、ポリエチレン等を材料としたシートを用いている。なお、第２シート材５５は、パネル本体５１の下面の全面には貼り付けられていてもよい。また、第２シート材５５は、防湿機能や防水機能を有していてもよいし、有していなくてもよい。
【００５０】
次に、断熱パネル５の敷設構造の施工方法について説明する。図５は、断熱パネル５の敷設構造の施工方法を説明する斜視図である。図６は、隣接する断熱パネル５同士を接続する場合の施工方法を説明する図であって、図６（ａ）は、接続前を示す図であり、図６（ｂ）は、接続後を示す図である。図７は、垂木４の隣りに断熱パネル５を設置する場合の施工方法を説明する図であって、図７（ａ）は、設置前を示す図であり、図７（ｂ）は、設置後を示す図である。
【００５１】
本実施形態の施工方法においては、図５に示すように、断熱パネル５を垂木４の間に配置しながら、屋根１１の傾斜方向において隣接する断熱パネル５同士を接続する方法について説明する。
【００５２】
屋根１１の傾斜方向においては、図１に示すように、複数の断熱パネル５は、屋根１１の傾斜方向に沿って配置される。断熱パネル５は、軒側において軒桁３１に支持され、屋根１１の傾斜方向の途中において母屋３３に支持され、棟側の他端部において棟木３２に支持される。最も軒側の断熱パネル５の軒側の一端部は、転び止め３４に接続される。隣接する断熱パネル５は、軒側（一方側）の断熱パネル５Ａと棟側（他方側）の断熱パネル５Ｂとの接続部５０において接続される。
【００５３】
本実施形態においては、以下の説明において、例えば、隣接する断熱パネル５の敷設構造について説明する。しかし、最も軒側の断熱パネル５の軒側の一端部が転び止め３４に載置される敷設構造も、隣接する断熱パネル５の敷設構造と同様の構成を有する。そのため、最も軒側の断熱パネル５の軒側の一端部が転び止め３４に載置される敷設構造の説明は、以下に説明する隣接する断熱パネル５の敷設構造の説明を援用できる。最も軒側の断熱パネル５の軒側の一端部において転び止め３４に接続される場合には、転び止め３４は、断熱パネル５のパネル本体５１の棟側下部突出受け部５１２に対応し、受け部を構成する。
【００５４】
図５に示すように、例えば、軒側の断熱パネル５Ａを敷設した状態で、隣接する棟側の断熱パネル５Ｂを敷設する場合には、隣接する棟側の断熱パネル５Ｂの軒側上部突出部５１７を上方側から下方側に移動させて、軒側の断熱パネル５Ａの棟側下部突出受け部５１２の上面５１２ａに棟側の断熱パネル５Ｂの軒側上部突出部５１７を載置することで、第１シート材５３を棟側下部突出受け部５１２の上面５１２ａに一旦接触させて、第１シート材５３を上方側に折り曲げて、棟側下部突出受け部５１２の側面と軒側下部段差側面５１８との間に、第１弾性部材５２を圧接して配置する。
【００５５】
具体的には、図６（ａ）及び（ｂ）に示すように、軒側の断熱パネル５Ａを敷設した状態で、隣接する断熱パネル５において、軒側の断熱パネル５Ａに対して、棟側の断熱パネル５Ｂを上方側から下方側に落とし込む。これにより、第１シート材５３の軒側の下面が、軒側の断熱パネル５Ａの棟側下部突出受け部５１２の上面５１２ａに一旦接触して、第１シート材５３が棟側の断熱パネル５Ｂの軒側下部段差側面５１８に沿うように上方側に折り曲げられる。第１シート材５３が軒側下部段差側面５１８に沿うように上方側に折り曲げられることで、第１弾性部材５２が約９０°向きを変えるように、軒側下部段差側面５１８に押し付けられて、第１弾性部材５２は、軒側の断熱パネル５Ａのパネル本体５１の棟側下部突出受け部５１２の側面と、棟側の断熱パネル５Ｂのパネル本体５１の軒側下部段差側面５１８と、の間に圧接された状態で挟み込まれる。
【００５６】
これにより、断熱パネル５を、図６に示すように、軒側の断熱パネル５Ａを敷設した状態で、軒側の断熱パネル５Ａに対して棟側の断熱パネル５Ｂを上方側から下方側に落とし込むだけで、断熱パネル５Ａの棟側下部突出受け部５１２の側面と断熱パネル５Ｂの軒側下部段差側面５１８との間に第１弾性部材５２を圧接して配置することができる。よって、気密性能及び水密性能が確保された状態で、棟側の断熱パネル５Ｂを、隣接する軒側の断熱パネル５Ａに容易に敷設することができる。
【００５７】
ここで、本実施形態においては、複数の断熱パネル５を、屋根１１の傾斜方向の下方側から上方側に順に敷設する。そのため、断熱パネル５Ａを軒側（屋根１１の傾斜方向の下方側）に配置し、断熱パネル５Ｂを棟側（屋根１１の傾斜方向の上方側）に配置することで、軒側の断熱パネル５Ａの棟側下部突出受け部５１２に、棟側の断熱パネル５Ｂの軒側上部突出部５１７を載置できる。これにより、隣接する棟側の断熱パネル５Ｂを上方側から下方側に移動させて軒側の断熱パネル５Ａに落とし込むだけで、複数の断熱パネル５を容易に敷設することができる。
【００５８】
また、断熱パネル５は、屋根１１の傾斜方向に直交する方向においては、断熱パネル５は、屋根１１の傾斜方向に直交する方向に離間して配置される垂木４と垂木４との間に配置される。
【００５９】
図５に示すように、例えば、垂木４を敷設した状態で、断熱パネル５を敷設する場合には、断熱パネル５を垂木４の長手方向に延びる側面４ｂに沿って、断熱パネル５のパネル本体５１の側面５１ａを配置する。この場合には、垂木４の側面４ｂに沿って断熱パネル５を上方側から下方側に移動させて、垂木４の側面４ｂに断熱パネル５を配置することで、第２シート材５５を垂木４の上面４ａに一旦接触させて、第２シート材５５を上方側に折り曲げて、垂木４の側面４ｂと断熱パネル５のパネル本体５１の幅方向の端部の側面５１ａとの間に、第２弾性部材５４を圧接して配置する。
【００６０】
具体的には、図７（ａ）及び（ｂ）に示すように、垂木４を敷設した状態で、垂木４の長手方向の側面４ｂに沿って、断熱パネル５を上方側から下方側に落とし込む。これにより、第２シート材５５の外側の下面が垂木４の上面４ａに一旦接触して、第２シート材５５がパネル本体５１の幅方向の端部の側面５１ａに沿うように上方側に折り曲げられる。第２シート材５５がパネル本体５１の幅方向の端部の側面５１ａに沿うように上方側に折り曲げられることで、第２弾性部材５４が約９０°向きを変えるように、パネル本体５１の幅方向の端部の側面５１ａに押し付けられて、第２弾性部材５４は、パネル本体５１の幅方向の端部の側面５１ａと、垂木４の側面４ｂと、の間に圧接された状態で挟み込まれる。
【００６１】
これにより、断熱パネル５を、図７に示すように、垂木４を敷設した状態で、断熱パネル５を上方側から下方側に垂木４の側面４ｂに沿って落とし込むだけで、パネル本体５１の幅方向の端部の側面５１ａと垂木４の側面４ｂとの間に第２弾性部材５４を圧接して配置することができる。よって、気密性能及び水密性能が確保された状態で、断熱パネル５を垂木４の側面４ｂに沿って容易に敷設することができる。
【００６２】
以上のように構成される断熱パネル５は、屋根１１の傾斜方向における隣接する断熱パネル５の接続部５０において、第１弾性部材５２が圧接した状態で挟み込まれる。これにより、施工が容易であると共に、断熱パネル１２の接続部５０における気密性能及び水密性能を確保することができる。
また、断熱パネル５の幅方向の端部における断熱パネル５と垂木４との間において、第２弾性部材５４が圧接した状態で挟み込まれる。これにより、施工が容易であると共に、断熱パネル５の幅方向の端部における気密性能及び水密性能を確保することができる。
【００６３】
以上説明した本実施形態の断熱パネル５及び断熱パネル５の敷設構造によれば、以下のような効果を奏する。
本実施形態の断熱パネル５及び断熱パネル５の敷設構造は、棟側下部突出受け部５１２の上面５１２ａに断熱パネル５の一端部が載置される断熱パネル５の敷設構造であって、一端部において上部から側方に突出して形成され棟側下部突出受け部５１２の上面５１２ａに載置される軒側上部突出部５１７と、一端部において軒側上部突出部５１７の下面から下方に延びる軒側下部段差側面５１８と、を有するパネル本体５１と、軒側下部段差側面５１８に沿って配置される第１弾性部材５２と、パネル本体５１の一端部の下面と第１弾性部材５２とを接続する第１シート材５３と、を備える。
【００６４】
そのため、軒側の断熱パネル５Ａに対して棟側の断熱パネル５Ｂを上方側から下方側に落とし込むだけで、棟側下部突出受け部５１２の側面と軒側下部段差側面５１８との間に第１弾性部材５２を圧接して配置することができる。よって、気密性能及び水密性能が確保された状態で、棟側の断熱パネル５Ｂを、隣接する軒側の断熱パネル５Ａに容易に敷設することができる。これにより、簡易な構成で、施工が容易であり、かつ、気密性能及び水密性能を確保することができる。
【００６５】
また、断熱パネル５の接続部５０において、軒側の断熱パネル５Ａの棟側下部突出受け部５１２に、棟側の断熱パネル５Ｂの軒側上部突出部５１７を載置するため、断熱パネル５は、軒側の端部において、隣接する断熱パネル５に支持される。これにより、断熱パネル５の接続部５０で支持しなくてもよく、断熱パネル５を下方で支持する数を少なくすることができる。例えば、断熱パネル５を下方で支持する母屋３３の数を少なくすることができる。よって、簡易な構成で、断熱パネル５を設置できる。
【００６６】
また、本実施形態においては、断熱パネル５の幅方向の端部の側面５１ａに沿って配置される第２弾性部材５４と、断熱パネル５の幅方向の端部の下面と第２弾性部材５４とを接続する第２シート材５５と、を備える。
【００６７】
そのため、垂木４を敷設した状態で、断熱パネル５を上方側から下方側に垂木４の側面４ｂに沿って落とし込むだけで、パネル本体５１の幅方向の端部の側面５１ａと垂木４の側面４ｂとの間に第２弾性部材５４を圧接して配置することができる。よって、気密性能及び水密性能が確保された状態で、断熱パネル５を垂木４の側面４ｂに沿って容易に敷設することができる。これにより、簡易な構成で、施工が容易であり、かつ、気密性能及び水密性能を確保することができる。
【００６８】
また、本実施形態においては、隣接する棟側の断熱パネル５Ｂを敷設する場合には、軒側の断熱パネル５Ａの棟側下部突出受け部５１２の上面５１２ａに、隣接する棟側の断熱パネル５Ｂの軒側上部突出部５１７を上方側から下方側に移動させて載置することで、第１シート材５３を上方側に折り曲げて、棟側下部突出受け部５１２の側面と軒側下部段差側面５１８との間に、第１弾性部材５２を圧接して配置する工程を含む。これにより、棟側の断熱パネル５Ｂを上方側から下方側に軒側の断熱パネル５Ａを落とし込むだけで、棟側下部突出受け部５１２の側面と軒側下部段差側面５１８との間に、容易に、第１弾性部材５２を圧接して配置できる。
【００６９】
また、本実施形態においては、垂木４の側面４ｂに沿って断熱パネル５を敷設する場合には、垂木４の側面４ｂに断熱パネル５を上方側から下方側に移動させて配置することで、第２シート材５５を上方側に折り曲げて、垂木４の側面４ｂと断熱パネル５のパネル本体５１の幅方向の端部の側面５１ａとの間に、第２弾性部材５４を圧接して配置する。これにより、垂木４を敷設した状態で、断熱パネル５を上方側から下方側に垂木４の側面４ｂに沿って落とし込むだけで、パネル本体５１の幅方向の端部の側面５１ａと垂木４の側面４ｂとの間に、容易に、第２弾性部材５４を圧接して配置できる。
【００７０】
以上、本発明の断熱パネルの敷設構造の好ましい一実施形態について説明したが、本発明は、上述した実施形態に制限されるものではなく、適宜変更が可能である。
例えば、前記実施形態においては、断熱パネルの敷設構造を屋根構造体に適用した例について説明したが、これに限定されない。例えば、断熱パネルの敷設構造を、天井構造体や床構造体などの構造物に適用してもよい。例えば、断熱パネルの敷設構造を天井構造体に適用した場合には、前記実施形態の屋根構造体における垂木に代えて、梁で構成することができる。また、断熱パネルの敷設構造を床構造体に適用した場合には、前記実施形態の屋根構造体における垂木に代えて、大引で構成することができる。
【００７１】
また、前記実施形態においては、パネル本体５１において、棟側に棟側下部突出受け部５１２を配置し、軒側に軒側上部突出部５１７を配置したが、これに限定されず、その逆で、棟側に下部突出受け部（他端側下部受け部）を配置し、軒側に上部突出部（一端側上部構成部）を配置して、下部突出受け部に上部突出部を載置するように構成してもよい。
【００７２】
また、前記実施形態においては、断熱パネル５を野地板と別体で構成したが、これに限定されず、断熱パネルを野地板と一体で構成してもよい。
【符号の説明】
【００７３】
４  垂木（側方部材）
４ｂ  側面（側方部材の側面）
５，５Ａ，５Ｂ  断熱パネル
３４  転び止め（受け部）
５０  接続部
５１  パネル本体
５１ａ  断熱パネルの幅方向の端部の側面
５２  第１弾性部材
５３  第１シート材
５４  第２弾性部材
５５  第２シート材
５１２  棟側下部突出受け部（他端側下部受け部、受け部）
５１２ａ  上面（受け部の上面）
５１７  軒側上部突出部（一端側上部構成部）
５１８  軒側下部段差側面（一端側下部側面）
【図１】
2020002624.tif 000003
【図２】
2020002624.tif 000004
【図３】
2020002624.tif 000005
【図４】
2020002624.tif 000006
【図５】
2020002624.tif 000007
【図６】
2020002624.tif 000008
【図７】
2020002624.tif 000009